(57)【特許請求の範囲】
【請求項１】
鼻部及び口部を覆うようにして装着されるマスクと、該マスクの外周部分に取り付けられて頭部に掛けられる装着用紐とを有するマスク装置であって、
前記マスクの外周部分に、顔面に当接するフランジ部が設けられ、
前記フランジ部のうち、両頬部に当接する左側フランジ部と右側フランジ部が、鼻部に当接する上側フランジ部と顎部に当接する下側フランジ部よりも幅広に設けられており、
前記左側フランジ部と前記右側フランジ部とには、前記装着用紐を挿通する紐取付け用孔が前記左側フランジ部と前記右側フランジ部とで対をなし、かつ、上下方向に間隔をあけて四対設けられ、
前記左側フランジ部及び前記右側フランジ部の上側部分には、左右両外側に向かって突出する突出部が設けられており、前記突出部には、前記四対の紐取付け用孔のうちの上から二番目に位置する一対の紐取付け用孔が配設され、
前記マスクの上下方向の長さＳ１に対する前記マスクの上端から前記突出部のそれぞれの中心部までの長さＳ２の比率Ｓ２／Ｓ１が０．３８〜０．４８の範囲であり、
前記装着用紐を前記紐取付け用孔に架け渡すことによりバンド部が形成され、
前記バンド部は、少なくとも上下二段形成されていることを特徴とするマスク装置。
【請求項２】
前記装着用紐の一端部を、前記左側フランジ部又は前記右側フランジ部のいずれかの前記紐取付け用孔に挿通した後に、その紐取付け用孔と対となる紐取付け用孔に挿通することにより、前記装着用紐を前記左側フランジ部と前記右側フランジ部との間に架け渡した一段目のバンド部が設けられ、
前記対となる紐取付け用孔に挿通された前記装着用紐の一端部を、前記対となる紐取付け用孔と上下方向に間隔をあけて配置される紐取付け用孔に挿通し、さらに該上下方向に間隔をあけて配設される紐取付け用孔と対となる紐取付け用孔に挿通することにより、前記装着用紐を前記左側フランジ部と前記右側フランジ部との間に架け渡した二段目のバンド部が設けられることを特徴とする請求項１に記載のマスク装置。
【請求項３】
鼻部及び口部を覆うようにして装着されるマスクであって、
その外周部分に、顔面に当接するフランジ部が設けられ、
前記フランジ部の両頬部に当接する左側フランジ部と右側フランジ部とが、鼻部に当接する上側フランジ部と顎部に当接する下側フランジ部よりも幅広に設けられており、
前記左側フランジ部と前記右側フランジ部とには、装着用紐を挿通する紐取付け用孔が前記左側フランジ部と前記右側フランジ部とで対をなし、かつ、上下方向に間隔をあけて四対設けられ、前記左側フランジ部及び前記右側フランジ部の上側部分には、左右両外側に向かって突出する突出部が設けられており、前記突出部には、前記四対の紐取付け用孔のうちの上から二番目に位置する一対の紐取付け用孔が配設され、前記マスクの上下方向の長さＳ１に対する前記マスクの上端から前記突出部のそれぞれの中心部までの長さＳ２の比率Ｓ２／Ｓ１が０．３８〜０．４８の範囲であることを特徴とするマスク。
【発明の詳細な説明】
【技術分野】
【０００１】
本発明は、人体の頭部に装着され、酸素などの呼吸用ガスを供給する際に用いられる酸素マスク等のガス類供給用のマスク及びそのマスクを備えるマスク装置に関する。
【背景技術】
【０００２】
所定量の酸素を含んだ呼吸用気体を患者へ送る人工呼吸器や、酸素吸入療法のための装置が知られている。そして、呼吸用ガスは、これらの装置からマスク装置を介して患者に供給される。マスク装置は、例えば特許文献１に開示されているように、患者の顔面に装着されるマスク（酸素マスク）に、伸縮性のある紐（装着用ゴムバンド）が取り付けられた構成とされる。
【０００３】
この特許文献１に開示されているマスク装置においては、マスクの外周部分の左側と右側に装着用ゴムバンドを取り付けるための穴がそれぞれ複数個配設されている。そして、この複数個設けられた穴のうちの左側の２箇所の穴に装着用ゴムバンドの両端が通され、同じく右側の２箇所の穴にも別の装着用ゴムバンドの両端が通されることにより、左右側のそれぞれの装着用ゴムバンドを耳に掛けて、マスク装置を患者に装着できる。
【先行技術文献】
【特許文献】
【０００４】
【特許文献１】特開２００５‐２５３９２５号公報
【発明の概要】
【発明が解決しようとする課題】
【０００５】
ところで、従来のマスク装置は、特許文献１にも述べられているように、装着用ゴムバンドを取り付けるための穴が、マスクの左右に一箇所ずつしか設けられておらず、左側の穴と右側の穴とに、装着用ゴムバンドの両端を通して取り付けることにより、１本の装着用ゴムバンドを患者の頭部に架け渡して取り付けられる。このため、マスクを患者の顔面に安定した状態に保持することが難しかった。この点、特許文献１に記載のマスク装置のように、装着用ゴムバンドを耳に掛けて装着した場合にも、マスクの装着位置を安定した状態に保持するためには、装着用ゴムバンドによる保持力を高くする必要がある。しかし、装着用ゴムバンドが耳に強く押し当てられることによって患者への負担が大きくなることを考慮すると、装着用ゴムバンドの保持力を高くすることは避けるべきである。
【０００６】
本発明は、このような事情に鑑みてなされたもので、マスクを患者の顔面に強く押し付けることなく装着でき、その装着位置を安定した状態で保持できるマスク及びマスク装置を提供することを目的とする。
【課題を解決するための手段】
【０００７】
本発明は、鼻部及び口部を覆うようにして装着されるマスクと、該マスクの外周部分に取り付けられて頭部に掛けられる装着用紐とを有するマスク装置であって、前記マスクの外周部分に、顔面に当接するフランジ部が設けられ、前記フランジ部のうち、両頬部に当接する左側フランジ部と右側フランジ部が、鼻部に当接する上側フランジ部と顎部に当接する下側フランジ部よりも幅広に設けられており、前記左側フランジ部と前記右側フランジ部とには、前記装着用紐を挿通する紐取付け用孔が前記左側フランジ部と前記右側フランジ部とで対をなし、かつ、上下方向に間隔をあけて四対設けられ、前記左側フランジ部及び前記右側フランジ部の上側部分には、左右両外側に向かって突出する突出部が設けられており、前記突出部には、前記四対の紐取付け用孔のうちの上から二番目に位置する一対の紐取付け用孔が配設され、前記マスクの上下方向の長さＳ１に対する前記マスクの上端から前記突出部のそれぞれの中心部までの長さＳ２の比率Ｓ２／Ｓ１が０．３８〜０．４８の範囲であり、前記装着用紐を前記紐取付け用孔に架け渡すことによりバンド部が形成され、前記バンド部は、少なくとも上下二段形成されていることを特徴とする。
【０００８】
装着用紐を頭部に掛けてマスク装置を装着した際に、マスクの装着用紐が取り付けられる左側フランジ部と右側フランジ部とが両頬部に押し付けられるが、装着用紐を取り付ける紐取付け用孔を複数対設けて、バンド部を少なくとも上下二段形成しているので、一段で構成した場合と比較して、左側フランジ部と右側フランジ部とを両頬部に強く押し付けることなく安定した状態で固定できる。また、左側フランジ部と右側フランジ部とを幅広に設けているので、マスクの装着位置がずれにくく、安定した状態で保持できる。
【０００９】
本発明のマスク装置において、前記装着用紐の一端部を、前記左側フランジ部又は前記右側フランジ部のいずれかの前記紐取付け用孔に挿通した後に、その紐取付け用孔と対となる紐取付け用孔に挿通することにより、前記装着用紐を前記左側フランジ部と前記右側フランジ部との間に架け渡した一段目のバンド部が設けられ、前記対となる紐取付け用孔に挿通された前記装着用紐の一端部を、前記対となる紐取付け用孔と上下方向に間隔をあけて配置される紐取付け用孔に挿通し、さらに該上下方向に間隔をあけて配設される紐取付け用孔と対となる紐取付け用孔に挿通することにより、前記装着用紐を前記左側フランジ部と前記右側フランジ部との間に架け渡した二段目のバンド部が設けられることを特徴とする。
【００１０】
この場合、１本の装着用紐で二段のバンド部を形成することができる。また、１本の装着用紐で二段のバンド部を形成しているので、装着用紐の中間部は、左側フランジ部又は右側フランジ部に取付けた際に、上下方向に間隔をあけて配置される紐取付け用孔の間に掛けられて固定される。このため、マスクのフランジ部を患者の顔面に安定して保持することができる。一方で、装着用紐の両端部側は、装着用紐の中間部が固定された箇所とは反対側の左側フランジ部又は右側フランジ部の上下方向に間隔をあけて配置される紐付け用孔に通され、その挿通位置は長さ方向に自在に調整可能とされる。このため、装着用紐の両端部側は紐取付け用孔から引き出された部分の長さを調整することで、すなわち紐取付け用孔と装着用紐の両端部側との挿通位置を調整することで、二段のバンド部の長さを容易に調整することができる。このように、左側フランジ部又は右側フランジ部の片側から装着用紐の両端部を引き出しているので、マスク装置の装着作業時には、その片側において装着用紐を引っ張る等することにより、二段のバンド部の長さを容易に調整でき、装着作業を容易に行うことができる。
さらに、１本の装着用紐で二段のバンド部を形成することで、複数本の装着用紐を用いて複数のバンド部を形成する場合と比較して、コストの低減を図ることができる。
【００１１】
本発明のマスクは、鼻部及び口部を覆うようにして装着されるマスクであって、その外周部分に、顔面に当接するフランジ部が設けられ、前記フランジ部の両頬部に当接する左側フランジ部と右側フランジ部とが、鼻部に当接する上側フランジ部と顎部に当接する下側フランジ部よりも幅広に設けられており、前記左側フランジ部と前記右側フランジ部とには、装着用紐を挿通する紐取付け用孔が前記左側フランジ部と前記右側フランジ部とで対をなし、かつ、上下方向に間隔をあけて四対設けられ、前記左側フランジ部及び前記右側フランジ部の上側部分には、左右両外側に向かって突出する突出部が設けられており、前記突出部には、前記四対の紐取付け用孔のうちの上から二番目に位置する一対の紐取付け用孔が配設され、前記マスクの上下方向の長さＳ１に対する前記マスクの上端から前記突出部のそれぞれの中心部までの長さＳ２の比率Ｓ２／Ｓ１が０．３８〜０．４８の範囲であることを特徴とする。
【発明の効果】
【００１２】
本発明によれば、マスクを患者の顔面に強く押し付けることなく装着でき、その装着位置を安定した状態で保持できる。
【図面の簡単な説明】
【００１３】
【図１】本発明の第１実施形態のマスクの正面図である。
【図２】図１のマスクの背面図である。
【図３】図１のマスクの左側面図である。
【図４】マスクへの装着用紐の取付けを説明する要部図である。
【図５】本発明の第１実施形態の酸素マスク装置の装着状態での正面図である。
【図６】図５に示す酸素マスク装置の装着状態での左側面図である。
【図７】本発明の第２実施形態の酸素マスク装置の蒸着状態での正面図である。
【発明を実施するための形態】
【００１４】
以下、本発明のマスク及びマスク装置を酸素マスク装置に適用した実施形態について図面を参照して説明する。
第１実施形態の酸素マスク装置１００は、図５及び図６に示すように、患者９の鼻部９１及び口部９２を覆うようにして装着されるマスク１と、そのマスク１の外周部分に取り付けられて患者９の頭部９３に掛けられる装着用紐５とを有する。
マスク１は、軟質塩化ビニールなどのほぼ透明な（換言すれば、透光性の）軟質合成樹脂などにより、左右が対称的な形状に形成されている。
なお、図５及び図６において、符号９４は患者９の左目、符号９５は患者９の右目である。以下、本実施形態においては、マスク１の左右方向は、患者９の右目９５側を右方向（右側）とし、患者９の左目９４側を左方向（左側）として説明を行う。すなわち、図５では、図面の左側がマスク１の右側とされ、図面の右側がマスク１の左側とされる。
【００１５】
マスク１は、図１〜図３、図５及び図６に示すように、その中央部分に、患者９の鼻部９１及び口部９２との間に空間を設けるようにドーム状のカバー部２が形成され、カバー部２の外周部分に、患者９の顔面９０に当接するフランジ部３が設けられている。
ドーム状に形成されたカバー部２の左右両側には、その上側寄りにカバー部２の内側と外側との間の通気を行うための左右一対のほぼ三角形状の通気用開孔２１，２２がそれぞれ配設されている。なお、これら通気用開孔２１，２２は、マスク１を患者９に装着した状態においては、患者９の左右両側の鼻孔９１ａ及びこれらの鼻孔９１ａの周囲に対応する位置に、それぞれ配置される。
【００１６】
また、カバー部２のほぼ中心位置から若干下側の位置には、ガス類供給用チューブ６のチューブコネクタ６１を取り付けるための円筒状のコネクタ取付け部２３が配設されている。コネクタ取付け部２３は、マスク１の下側に円筒の先端部を向けて形成されている。そして、その円筒の先端部に二箇所の切欠片部２４，２５が設けられており、その切欠片部２４，２５に、チューブコネクタ６１の爪部と係合する係止孔が設けられている。
【００１７】
なお、チューブコネクタ６１は、硬質塩化ビニールなどのほぼ透明な（換言すれば、透光性を有する）硬質合成樹脂などにより形成される。また、ガス類供給用チューブ６のチューブ６２は、軟質塩化ビニールなどのほぼ透明な（換言すれば、透光性を有する）軟質合成樹脂などにより形成され、一端部にチューブコネクタ６１が取り付けられており、チューブコネクタ６１を介してマスク１に取り付けられる。また、チューブ６２の他端部には、酸素ボンベなどのガスボンベや、病室などに配設されたガス類供給用ノズルに接続される外部接続コネクタ６３が取り付けられている。したがって、酸素マスク装置１００のマスク１内の空間には、コネクタ取付け部２３を介して、ガス流が送り込まれるようになっている。
【００１８】
また、フランジ部３は、患者９の鼻部９１に当接する上側フランジ部３１と、両頬部９６，９７に当接する左側フランジ部３２及び右側フランジ部３３と、顎部９８に当接する下側フランジ部３４とが連続して形成されている。
上側フランジ部３１は、鼻部９１の形状に対応するように、前方（換言すれば、外側）に向かって突出した湾曲形状とされる。また、左側フランジ部３２と右側フランジ部３３とは、上側部分が両頬部９６，９７の形状に対応するように、前方に向かって僅かに突出した湾曲形状とされ、下側部分がほぼ平らに形成されている。下側フランジ部３４は、左側フランジ部３２及び右側フランジ部３３に連続してほぼ平らに形成されている。
なお、フランジ部３の左側フランジ部３２、右側フランジ部３３は、全体を平らな形状とすることも可能であるし、下側フランジ部３４も、顎部９８の形状に対応した湾曲形状とすることも可能である。
【００１９】
そして、このフランジ部３のうち、左側フランジ部３２と右側フランジ部３３が、上側フランジ部３１と下側フランジ部３４よりも幅広に設けられている。すなわち、図２に示すように、左側フランジ部３２の幅Ｗ２及び右側フランジ部３３の幅Ｗ３は、上側フランジ部３１の幅Ｗ１と下側フランジ部３４の幅Ｗ４よりも、大きく設けられている。
また、左側フランジ部３２と右側フランジ部３３とには、装着用紐５を挿通する紐取付け用孔４１〜４８が左側フランジ部３２と右側フランジ部３３とで対をなし、かつ、上下方向に間隔をあけて複数対設けられている。本実施形態では、紐取付け用孔４１〜４８が四対設けられている。そして、各対の紐取付け用孔４１〜４８は、左側フランジ部３２及び右側フランジ部３３の厚み方向に貫通して設けられている。
【００２０】
また、左側フランジ部３２と右側フランジ部３３の上側部分には、図１及び図２に示すように、その幅を部分的に広くして延長することにより、左右両外側に向かって突出する台形状の突出部３５，３６が設けられており、この突出部３５，３６に、複数対の紐取付け用孔４１〜４８のうちの一対の紐取付け孔４３，４４が配設されている。なお、突出部３５，３６は、台形状に限定されるものではなく、長方形状、半円形状、半楕円形状、半長円形状等の他の形状で形成できる。
【００２１】
図１及び図２では、紐取付け用孔４１〜４８は、平面的に見てほぼ円形状に形成され、その直径Ｌ５（換言すれば、平面的に見た最大長さ）は、図示は省略するが、ほぼ２ｍｍに形成される。なお、紐取付け用孔４１〜４８は、円形状に限定されるものではなく、六角形や八角形等の多角形状等であってもよい。
また、紐取付け用孔４１〜４８の直径Ｌ５は、装着用紐５の太さ等との関係を考慮して決められるが、後述する装着用紐５の両端部５１，５２の直径と同程度か、それよりも若干大きく形成することで、装着用紐５を紐取付け用孔４１〜４８に挿通する際に、入れやすくなる。また、実用性の観点から、紐取付け用孔４１〜４８の直径Ｌ５は、１．５〜２．５ｍｍの範囲であるのが好ましく、１．７ｍｍ〜２．３ｍｍの範囲であるのが最も好ましい。
【００２２】
また、左側フランジ部３２と右側フランジ部３３には、紐取付け用孔４１〜４８とは別に、包帯（図示略）を挿通可能な包帯取付け用長孔７１〜７４が、左側フランジ部３２と右側フランジ部３３とで対をなし、かつ、上下方向に間隔をあけて複数対、本実施形態では二対設けられている。そして、包帯取付け用長孔７１〜７４は、左側フランジ部３２と右側フランジ部３３の厚み方向に貫通して設けられ、左側フランジ部３２と右側フランジ部３３の長さ方向に沿って、直線形状に延在する長孔（換言すれば、平面的に見て、長細い孔）により形成されている。また、これら二対の包帯取付け用長孔７１〜７４のうち、上側の包帯取付け用長孔７１，７２は、突出部３５，３６に形成された二段目の紐取付け用孔４３，４４と、左右方向に隣接して配設されており、包帯取付け用長孔７１，７２と紐取付け用孔４３，４４とがそれぞれ対向するように配設されている。
【００２３】
なお、図示は省略するが、包帯取付け用長孔７１〜７４の平面的に見た開口幅Ｈは、ほぼ１ｍｍとされ、平面的に見た開口長さＳは、ほぼ１０ｍｍとされる。なお、包帯取付け用長孔７１〜７４の寸法は、実用性の観点から、開口幅Ｈが０．７５〜１．２５ｍｍ、開口長さＳが７．５〜１２．５ｍｍの範囲であるのが好ましく、さらに開口幅Ｈが０．８２〜１．１８ｍｍ、開口長さＳが８．２〜１１．８ｍｍの範囲であるのが最も好ましい。
【００２４】
なお、図２に示すマスク１の上下方向の長さＳ１は、ほぼ１０５ｍｍである。そして、マスク１の上端から左側フランジ部３２の突出部３５及び右側フランジ部３３の突出部３６のそれぞれの中心部までの長さＳ２（言い換えれば、マスク１の上端から左右一対の紐取付け用孔４３，４４の中心部までの長さ）は、ほぼ３８ｍｍとされる。したがって、マスク１の上下方向の長さＳ１に対する長さＳ２の比率（Ｓ２／Ｓ１）は、ほぼ０．３６とされる。比率（Ｓ２／Ｓ１）は、実用性の観点から見て、０．３８〜０．４８の範囲とするのが好ましく、０．４０〜０．４６の範囲であるのが最も好ましい。
【００２５】
また、マスク１に取り付けられる装着用紐５は、柔軟性と弾性とを有する素材により形成され、例えばその延在方向に直交する横断面が偏平形状とされる比較的幅の狭い弾性体により形成される。具体的には、図４に示すように、横幅が比較的狭いテープ形状に構成され、綿糸とポリウレタン繊維糸（特に、ポリウレタン弾性繊維糸）とで織られた織物であってよい。装着用紐５の両端部５１，５２は、熱収縮性を有する合成樹脂などから構成された筒状の被覆チューブにより被覆されることで、円柱状に成形されている。
【００２６】
なお、装着用紐５の中間部５３の横断面は、厚みｔがほぼ１．５ｍｍ、幅ｇがほぼ６ｍｍとされる。また、装着用紐５の両端部５１，５２の直径は、すなわち被覆チューブの外周面の直径（横断面の最大長さ）は、ほぼ２ｍｍとされる。したがって、装着用紐５の両端部５１，５２の直径と、マスク１の紐取付け用孔４１〜４８の直径とは、ほぼ同じ直径に形成される。また、装着用紐５の中間部５３の横断面の面積は、紐取付け用孔４１〜４８の開口面積よりも大きく、図４（ｃ）に示すように、装着用紐５の中間部５３を紐取付け用孔４１〜４８に挿通すると、中間部５３が絞り込まれた状態となって押さえ込まれることから、挿通位置が装着用紐５の長さ方向にずれにくくなる。
【００２７】
なお、装着用紐５の寸法は、実用性の観点から言えば、両端部５１，５２を除く中間部５３の厚みｔが１．１２〜１．８８ｍｍ、幅ｇが４．５〜７．５ｍｍの範囲であるのが好ましく、さらに厚みｔが１．２５〜１．７５ｍｍ、幅ｇが５．０〜７．０ｍｍの範囲であるのが最も好ましい。また、装着用紐５の両端部５１，５２の直径Ｄは、１．５ｍｍ〜２．５ｍｍの範囲であるのが好ましく、１．７〜２．３ｍｍの範囲であるのが最も好ましい。
【００２８】
そして、装着用紐５を、マスク１の左右一対の対となる紐取付け用孔４１〜４８、例えば紐取付け用孔４３，４４の間と、紐取付け用孔４７，４８に架け渡すことにより、図５及び図６に示すように、酸素マスク装置１００には少なくとも上下二段のバンド部５４，５５が形成される。バンド部５４，５５は、図５に示すように、左側フランジ部３２と右側フランジ部３３との間に架け渡され、酸素マスク装置１００を患者９に装着した状態では、患者９の左側の頬部９６、頭部９３（後頭部）、右側の頬部９７の間を順次通るように配設される。
【００２９】
装着用紐５をマスク１に取り付けるに際しては、図１及び図２に示すように、左側フランジ部３２と右側フランジ部３３とに複数対設けられた紐取付け用孔４１〜４８のうちのいずれか二対の紐取付け用孔を、装着用紐５の取付け箇所の対象として選択すればよい。なお、左側フランジ部３２の突出部３５及び右側フランジ部３３の突出部３６に設けられた対の紐取付け用孔４３，４４は、装着用紐５の標準的な高さの取付け箇所であることを示唆している。したがって、バンド部５４，５５を標準的な高さに設けたいときには、二段のバンド部５４，５５のうちの一方のバンド部を形成する際に、突出部３５，３６に設けられた対の紐取付け用孔４３，４４に装着用紐５を挿通すればよい。
【００３０】
本実施形態の酸素マスク装置１００においては、図５及び図６に示すように、１本の装着用紐５で二段のバンド部５４，５５が形成される。１本の装着用紐５で二段のバンド部５４，５５を形成する場合の装着用紐５の取付け操作を、図４を参照して説明する。
まず、装着用紐５の両端部５１，５２のうちのいずれか一方を、左側フランジ部３２又は右側フランジ部３３のいずれかの紐取付け用孔４１〜４８に挿入する。ここでは、一端部５１を左側フランジ部３２の紐取付け用孔４３に挿入する。具体的には、図４（ａ）及び（ｂ）に示すように、装着用紐５の一端部５１を、マスク１の前側から後側（顔面９０との当接面側）に向けて紐取付け用孔４３に差し込んで、さらに図４（ｃ）に示すように、一端部５１を紐取付け用孔４３から引っ張り出すことにより、装着用紐５の中間部５３を紐取付け用孔４３に係合させる。
【００３１】
そして、このように装着用紐５の一端部５１を紐取付け用孔４３に挿通した後に、さらに一端部５１をその紐取付け用孔４３と対となる右側フランジ部３３の紐取付け用孔４４に挿通する。図示は省略するが、装着用紐５の一端部５１を、マスク１の後側から前側に向けて紐取付け用孔４４に挿通して、マスク１の前側から装着用紐５の一端部５１を引っ張り出して、装着用紐５の中間部５３を紐取付け用孔４４に係合させる。これにより、装着用紐５の中間部５３を左側フランジ部３２と右側フランジ部３３との間に架け渡した一段目のバンド部５４が設けられる。
【００３２】
次に、上述したように、右側フランジ部３３の紐取付け用孔４４に挿通された装着用紐５の一端部５１を、この紐取付け用孔４４と上下方向に間隔をあけて配置される右側フランジ部３３のいずれかの紐取付け用孔４１，４５，４７に挿通する。ここでは、装着用紐５の一端部５１を紐取付け用孔４８に挿通する。具体的には、装着用紐５の一端部５１をマスク１の前側から後側に向けて紐取付け用孔４８に差し込んで、装着用紐５の中間部５３を紐取付け用孔４８と係合させる。この際、装着用紐５の中間部５３を、右側フランジ部３３に間隔をあけて配置される紐取付け用孔４４と紐取付け用孔４８との間に撓みがなくなるまで、装着用紐５の中間部５３を紐取付け用孔４８から引き出しておく。これにより、装着用紐５の中間部５３が、図５に示すように、上下方向に間隔をあけて配置される紐取付け用孔４４，４８の間に掛けられて固定される。
【００３３】
そして、右側フランジ部３３の紐取付け用孔４８に装着用紐５の一端部５１を挿通した後、さらに一端部５１をその紐取付け用孔４８と対となる左側フランジ部３２の紐取付け用孔４７に挿通する。この場合、装着用紐５の一端部５１を、マスク１の前側から後側に向けて紐取付け用孔４７に差し込んで、装着用紐５の中間部５３を紐取付け用孔４７に係合させる。これにより、装着用紐５の中間部５３を右側フランジ部３３と左側フランジ部３２との間に架け渡した二段目のバンド部５５が設けられる。
【００３４】
この場合、左側フランジ部３２の紐取付け用孔４３，４７に通された装着用紐５の中間部５３は、図４（ｃ）に示すように、紐取付け用孔４３，４７の内周縁によって圧迫され、くびれて支持されることにより、バンド部５４，５５の長さが一定の長さに保持される。このため、左側フランジ部３２の紐取付け用孔４３，４７と装着用紐５の中間部５３との挿通位置は、装着用紐５を引っ張り出す等して、紐取付け用孔４３，４７から装着用紐５を積極的に引き出す等の力を加えない限り、ずれるおそれはほとんどない。一方で、このように支持される紐取付け用孔４３，４７と装着用紐５の中間部５３との挿通位置は、左側フランジ部３２の近傍において、装着用紐５の両端部５１，５２側を左側フランジ部３２の前側に引き出す、若しくは、左側フランジ部３２の後側に引き込む力を加えることにより、長さ方向に自在に調整できる。すなわち、左側フランジ部３２の紐取付け用孔４３，４７と装着用紐５の両端部５１，５２側との挿通位置を調整することで、二段のバンド部５４，５５の長さを容易に調整することができる。
【００３５】
このように、本実施形態の酸素マスク装置１００においては、装着用紐５を患者９の頭部９３に掛けて装着した際に、マスク１の装着用紐５が取り付けられる左側フランジ部３２と右側フランジ部３３とが患者９の両頬部９６，９７に押し付けられるが、装着用紐５を取り付ける紐取付け用孔４１〜４８を複数対設けて、バンド部５４，５５を少なくとも上下二段形成しているので、一段で構成した場合と比較して、左側フランジ部３２と右側フランジ部３３とを両頬部９６，９７に強く押し付けることなく安定した状態で固定できる。また、左側フランジ部３２と右側フランジ部３３とを幅広に設けているので、マスク１の装着位置がずれにくく、安定した状態で保持できる。
さらに、１本の装着用紐５で二段のバンド部５４，５５を形成することで、複数本の装着用紐を用いて複数のバンド部を形成する場合と比較して、コストの低減を図ることができる。
【００３６】
また、左側フランジ部３２の片側から装着用紐５の両端部５１，５２を引き出しているので、酸素マスク装置１００の装着作業時には、その片側において装着用紐５を引っ張る等することにより、二段のバンド部５４，５５の長さを容易に調整でき、装着作業を容易に行うことができる。なお、第１実施形態では、装着用紐５の中間部５３を右側フランジ部３３に固定して、両端部５１，５２を左側フランジ部３２から引き出していたが、これを逆にして、装着用紐５の中間部５３を左側フランジ部３２に固定して、両端部５１，５２を右側フランジ部３３から引き出すこととしてもよい。
【００３７】
なお、上記の第１実施形態の酸素マスク装置１００においては、二段のバンド部５４，５５を、１本の装着用紐５で形成することとしていたが、図７に示す第２実施形態の酸素マスク装置２００のように、２本の装着用紐５Ａ，５Ｂによって二段のバンド部５６，５７を形成することもできる。なお、第２実施形態において、マスク１は、第１実施形態と同じものが用いられることから、説明を省略するとともに、各図において、第１実施形態と共通要素には同一符号を付して説明を省略する。
【００３８】
第２実施形態の酸素マスク装置２００において、２本の装着用紐５Ａ，５Ｂは、第１実施形態の装着用紐５と同様に、柔軟性と弾性とを有する素材により形成され、例えばその延在方向に直交する横断面が偏平形状とされる比較的幅の狭い弾性体により形成される。ただし、各装着用紐５Ａ，５Ｂの両端部のうちの一方には、すなわち装着用紐５Ａ，５Ｂの一端部には、図７の左側に図示するように、マスク１の紐取付け用孔４１〜４８の直径よりも大きな抜止部５８，５９が形成される。一方、これら装着用紐５Ａ，５Ｂの他端部５１Ａ，５１Ｂは、熱収縮性を有する合成樹脂などから構成された筒状の被覆チューブにより被覆されることで円柱状に成形されており、この他端部５１Ａ，５１Ｂの直径は、マスク１の紐取付け用孔４１〜４８の直径とほぼ同じ直径に形成される。なお、抜止部５８，５９は、紐取付け用孔４１〜４８を通らない大きさの成形品や、装着用紐５Ａ，５Ｂに結び目を付けることにより容易に形成できる。
【００３９】
このように、装着用紐５Ａ，５Ｂの一端部に抜止部５８，５９を設けておくことで、図７に示すように、マスク１の右側フランジ部３３では、装着用紐５Ａ，５Ｂをマスク１の後側から引き出しても装着用紐５Ａ，５Ｂの抜止部５８，５９が紐取付け用孔４４，４８（図１参照）を通ることができずに、固定される。一方、マスク１の左側フランジ部３２では、装着用紐５Ａ，５Ｂの他端部５１Ａ，５１Ｂ側において、中間部５３と紐取付け用孔４３，４７とが係合して支持されており、このように支持される紐取付け用孔４３と装着用紐５Ａの中間部５３との挿通位置、及び紐取付け用孔４７と装着用紐５Ｂの中間部５３との挿通位置は、左側フランジ部３２の近傍において、装着用紐５Ａの他端部５１Ａ及び装着用紐５Ｂの他端部５１Ｂ側を左側フランジ部３２の前側に引き出す、若しくは、左側フランジ部３２の後側に引き込む力を加えることにより、長さ方向に自在に調整できる。すなわち、左側フランジ部３２の紐取付け用孔４３と装着用紐５Ａの他端部５１Ａ側との挿通位置と、紐取付け用孔４７と装着用紐５Ｂの他端部５１Ｂ側との挿通位置とを調整することで、二段のバンド部５６，５７の長さを容易に調整することができる。
【００４０】
なお、本発明は上記実施形態に限定されるものではなく、本発明の趣旨を逸脱しない範囲において種々の変更を加えることが可能である。
【符号の説明】
【００４１】
１  マスク
２  カバー部
３  フランジ部
５，５Ａ，５Ｂ  装着用紐
６  ガス類供給用チューブ
９  患者
２１，２２  通気用開孔
２３  コネクタ取付け部
３１  上側フランジ部
３２  左側フランジ部
３３  右側フランジ部
３４  下側フランジ部
３５，３６  突出部
４１〜４８  紐取付け用孔
５１，５２  端部
５３  中間部
５４，５５  バンド部
６１  チューブコネクタ
６２  チューブ
６３  外部接続コネクタ
７１〜７４  包帯取付け用長穴
９１  鼻部
９１ａ  鼻孔
９２  口部
９３  頭部
９４  左目
９５  右目
９６，９７  頬部
９８  顎部
１００  酸素マスク装置（マスク装置）
【図１】
0006380954.tif 000002
【図２】
0006380954.tif 000003
【図３】
0006380954.tif 000004
【図４】
0006380954.tif 000005
【図５】
0006380954.tif 000006
【図６】
0006380954.tif 000007
【図７】
0006380954.tif 000008